(57)【要約】【課題】  本発明は、ダイオキシン類と重金属類を１バッチ（１工程）で処理でき固形分の沈降速度が速く分離水のみ膜処理する方法で、先行例より簡素化できるダイオキシン除去法及び除去剤を提供することを目的とする。【解決手段】  廃棄物焼却炉の解体時に排出される汚水に、浮遊物質量に応じて、粉末活性炭、Ｙ型又はＸ型ゼオライトを添加し、さらにＮａ−Ｐ１型ゼオライトを塩化カルシウム飽和液で処理したＣａ型ゼオライト、硫酸バンド及び水酸化カルシウム及びポリアクリルアミドアニオン系高分子凝集剤からなるゼオライト凝集剤を混合し、上記添加及び混合とを１バッチで処理することを特徴とするダイオキシン類除去法。【選択図】  図１
2007014870.tif 000002
【特許請求の範囲】
【請求項１】
廃棄物焼却炉の解体時に排出される汚水に、浮遊物質量に応じて、
粉末活性炭、Ｙ型又はＸ型ゼオライトを添加し、
さらにゼオライト凝集剤を混合し、
上記添加及び混合を１バッチで処理することを特徴とするダイオキシン類除去法。
【請求項２】
上記ゼオライト凝集剤が、Ｎａ−Ｐ１型ゼオライトを塩化カルシウム飽和液で処理したＣａ型ゼオライト、硫酸バンド及び水酸化カルシウム及びポリアクリルアミドアニオン系高分子凝集剤からなる請求項１記載のダイオキシン類除去法。
【請求項３】
上記処理による汚水を固液分離した後、液分を高分子フィルターで濾過する請求項１又は２記載のダイオキシン類除去法。
【請求項４】
フライアッシュをアルカリ処理し、さらに熱処理を施し、攪拌してなるＹ型又はＸ型ゼオライトと、
Ｎａ−Ｐ１型ゼオライトを塩化カルシウム飽和液で処理したＣａ型ゼオライト、硫酸バンド及び水酸化カルシウム及びポリアクリルアミドアニオン系高分子凝集剤からなるゼオライト凝集剤とよりなるダイオキシン類除去剤。
【発明の詳細な説明】
【技術分野】
【０００１】
本発明は廃棄物焼却炉設備の解体等に際して発生する汚水中のダイオキシン類を除去する技術に関するものである。
【背景技術】
【０００２】
従来、廃棄物焼却炉設備の除染や解体時に排出される排水は、重金属処理剤を添加して重金属を処理した後、吸着剤を添加してダイオキシン類を吸着処理し、さらに吸着処理水を膜により固液分離する処理方法が開発されている。
【０００３】
しかし、上記吸着処理に用いられる吸着剤は活性炭、活性コークス等の炭素系吸着剤、及びゼオライト、珪藻土等の無機系吸着剤等の１又は２種以上が用いられ、
さらに膜による固液分離を必要とし、セラミック膜又は高分子膜が用いられた（例えば特許文献１、２）。
【０００４】
しかしながら上記従来技術は次の３工程よりなり、それぞれの工程が単独で存在し、処理設備及び処理時間が多くかかった。
【０００５】
（１）重金属処理剤で重金属処理する工程（２）吸着剤を添加して吸着処理する工程（３）上記処理水を膜により固液分離する工程
【０００６】
【特許文献１】特開２００２−１７７９０２号
【特許文献２】特開２００３−５３３４３号
【発明の開示】
【発明が解決しようとする課題】
【０００７】
本発明は、ダイオキシン類と重金属類を１バッチ（１工程）で処理でき固形分の沈降速度が速く分離水のみ膜処理する方法で、先行例より簡素化できるダイオキシン除去法及び除去剤を提供することを目的とする。
【課題を解決するための手段】
【０００８】
上記目的を達成するため本発明は、
第１に廃棄物焼却炉の解体時に排出される汚水に、浮遊物質量に応じて、粉末活性炭、Ｙ型又はＸ型ゼオライトを添加し、さらにゼオライト凝集剤を混合し、上記添加及び混合を１バッチで処理することを特徴とするダイオキシン類除去法、
第２に上記ゼオライト凝集剤が、Ｎａ−Ｐ１型ゼオライトを塩化カルシウム飽和液で処理したＣａ型ゼオライト、硫酸バンド及び水酸化カルシウム及びポリアクリルアミドアニオン系高分子凝集剤からなる上記第１発明記載のダイオキシン類除去法、
第３に上記処理による汚水を固液分離した後、液分を高分子フィルターで濾過する上記第１又は第２発明記載のダイオキシン類除去法、
第４にフライアッシュをアルカリ処理し、さらに熱処理を施し、攪拌してなるＹ型又はＸ型ゼオライトと、Ｎａ−Ｐ１型ゼオライトを塩化カルシウム飽和液で処理したＣａ型ゼオライト、硫酸バンド及び水酸化カルシウム及びポリアクリルアミドアニオン系高分子凝集剤からなるゼオライト凝集剤とよりなるダイオキシン類除去剤、
によって構成する。
【０００９】
焼却炉の燃焼過程において有機塩素化合物からダイオキシン類が生成する。焼却炉解体に際しては炉壁、煙道に付着する灰にダイオキシン類や重金属類が残留している。焼却炉の解体は、汚染除去作業時に発生する発塵防止のため高圧水による洗浄で焼却炉設備内の付着物を除去し、その際にダイオキシン類を含む排水（汚水）が排出される。
【００１０】
上記汚水中のポリ塩化ジベンゾパラジオキシン及びコプラナポリ塩化ビフェニルを粉末活性炭が吸着し、
上記汚水中のポリ塩化ジベンゾフラン及びコプラナポリ塩化ビフェニルを上記ゼオライト凝集剤が吸着し、
又、同時に上記活性炭及び上記凝集剤は重金属類を吸着する。
【００１１】
さらに上記活性炭および上記凝集剤が汚水中の浮遊物質を凝集して低減する。
【００１２】
上述のようにダイオキシン類除去法及び除去剤で処理したダイオキシン汚水は上述のように吸着、凝集した固形分と液体とを固液分離した後、
液体のみを高分子フィルターで濾過処理して放流される。
【発明の効果】
【００１３】
本発明は上述の除去法及び除去剤によったもので、ダイオキシン類とＹ型ゼオライト及び又はＸ型ゼオライトとの接触面積が大で、ダイオキシン類及び重金属の吸着能を増加し、かつダイオキシン類及び重金属を１バッチ（１工程）で処理することができ、急速沈降による固液分離後の液分のみフィルター処理し、処理時間の短縮と装置の簡略化を実現することができる。
【発明を実施するための最良の形態】
【００１４】
本発明は従来活性炭で処理できなかったダイオキシン類の除去ができることに特徴がある。そのメカニズムは以下の通りである。
・ダイオキシン類は疎水性の性質からおもに懸濁物質に吸着されている。そこで、懸濁物
質を飛灰排水から除去することがダイオキシン類の削減になると考えた。
・活性炭はミクロポアからマクロポアサイズの径を有する。懸濁物質は優先的に大きなポ
アに吸着され細孔容積が満たされる。そして、その際に吸着されずに残存している微細
粒子に含まれるダイオキシン類が処理されずに残る。
・そこで、細孔径11Å前後を有するＹ型及びＸ型もしくはフライアッシュから生成し
たＹ型もしくはＸ型と併用することで活性炭で処理できないダイオキシン類（異性体）
を除去する。ダイオキシン類の分子サイズは約10Å、残存している微細粒子に含まれる
ダイオキシン類は吸着除去できる。
・重金属類は飛灰に含まれていることから懸濁物質を上記処理により同時に除去すること
ができる。
・処理水の固液分離は、ゼオライト凝集剤により汚泥が分離できる。後処理のろ過を考慮
し、当該凝集剤の添加量は500ppmとすることに特徴がある。
【００１５】
廃棄物等の焼却炉の除染又は解体時には大量の洗浄水（通常水道水、地下水）を散水し、ダイオキシン汚染となって汚水槽Ａ（図１）に流入される。
【００１６】
上記汚水には粉末活性炭及びＹ型及び又はＸ型ゼオライトを添加する。
【００１７】
添加濃度は上記汚水の浮遊物質量が１００〜１０００ｍｇ／リットルに対して、粉末活性炭４１．５重量％、Ｙ型もしくはＸ型ゼオライト４１．５重量％及びゼオライト凝集剤１７重量％の割合で添加する。
【００１８】
上記汚水のＰＨは６〜８に調整する。
【００１９】
上記ゼオライト凝集剤はＮａ−Ｐ１型ゼオライトを塩化カルシウム飽和液で処理したＣａ型ゼオライト２０重量％、硫酸バンド６０重量％、水酸化カルシウム１９重量％及びポリアクリルアミドアニオン系高分子凝集剤１．０重量％よりなり、
添加混合順序は上記粉末活性炭、Ｙ型もしくはＸ型ゼオライト、上記ゼオライト凝集剤の順序であって、
上記添加混合によって上記汚水は１個のバッチ内において攪拌、静止により自然沈降固液分離する。
【００２０】
分離した上澄液（液体）は高分子フィルター（膜孔径０．４５μｍ）で濾過処理後放流される。
【００２１】
又上記汚水中の重金属類は鉛及びその化合物、砒素及びその化合物、水銀及びその化合物、フッ素及びその化合物等であって、
これらの重金属類は上記粉末活性炭、Ｙ型、Ｘ型ゼオライト、ゼオライト凝集剤に
取り込まれてダイオキシン類と共に又は同時に除去される。
【００２２】
上記Ｙ型及びＸ型ゼオライトは高純度のシリカとアルナミあるいは、石炭をエネルギー源とする発電所等において発生する多量の石炭灰を有効利用するもので煙突に向かう微粒溶融球型粒子（フライアッシュ）を電気収塵機で捕集し、これをアルカリ（苛性ソーダ）処理し、かつ熱処理を施して表１の反応条件でもえられる。
【００２３】
【表１】
2007014870.tif 000003
【実施例１】
【００２４】
以下に実施例を上げて本発明を具体的に説明する。焼却炉飛灰排水を懸濁濃度約1000mg/ｌに調整する。この排水にまず、活性炭を2000mg/ｌ添加して30分攪拌、攪拌後Ｙ型もしくはＸ型またはフライアッシュから生成するＹ型もしくＸ型ゼオライトを2000mg/ｌ添加して30分攪拌、その後ゼオライト凝集剤を500mg/ｌ添加して30分攪拌したのち３０分間静沈して固液分離する。静沈後0.45μｍの高分子フィルターで分離液分を濾過処理する。処理した水質は表２に示す通りである。
【００２５】
【表２】
2007014870.tif 000004
【００２６】
【表３】
2007014870.tif 000005
【産業上の利用可能性】
【００２７】
以上の通り本発明のダイオキシン処理方法では、
・本処理方法により従来技術より焼却炉の飛灰排水のダイオキシン類及び重金属類を簡便
に短時間で処理できる。
・処理水は環境基準レベルまで清浄化することができ放流することができる。
・飛灰排水の汚泥量が5％まで減容化できるとともに産業廃棄物の減量とともに処理費用
が１/10まで低コスト化できる。
・処理水は再利用することができ、焼却炉解体時の洗浄水（水道水、地下水）の使用量削
減ができる。
・現場で直接処理できるため運搬費用の削減にもなる。
【図面の簡単な説明】
【００２８】
【図１】本発明のダイオキシン類除去法の系統図である。
【図２】（イ）図はダイオキシン汚水の攪拌状態の写真である、（ロ）図は濃縮固形分の凝集沈澱状態の写真である。
【符号の説明】
【００２９】
Ａ      汚水槽
【図１】
2007014870.tif 000006
【図２】
2007014870.tif 000007
【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
廃棄物焼却炉の解体時に排出される汚水に、浮遊物質量に応じて、
粉末活性炭、Ｙ型又はＸ型ゼオライトを添加し、
さらにゼオライト凝集剤を混合し、
上記ゼオライト凝集剤が、Ｎａ−Ｐ１型ゼオライトを塩化カルシウム飽和液で処理した
Ｃａ型ゼオライト、硫酸バンド及び水酸化カルシウム及びポリアクリルアミドアニオン系
高分子凝集剤からなり、
上記添加及び混合を１バッチで処理することを特徴とするダイオキシン類除去法。
【請求項２】
上記処理による汚水を固液分離した後、液分を高分子フィルターで濾過する請求項１記載のダイオキシン類除去法。
【請求項３】
フライアッシュをアルカリ処理し、さらに熱処理を施し、攪拌してなるＹ型又はＸ型ゼ
オライトと、
Ｎａ−Ｐ１型ゼオライトを塩化カルシウム飽和液で処理したＣａ型ゼオライト、硫酸バ
ンド及び水酸化カルシウム及びポリアクリルアミドアニオン系高分子凝集剤からなるゼオ
ライト凝集剤とよりなるダイオキシン類除去剤。
【手続補正２】
【補正対象書類名】明細書
【補正対象項目名】０００８
【補正方法】変更
【補正の内容】
【０００８】
上記目的を達成するため本発明は、
第１に廃棄物焼却炉の解体時に排出される汚水に、浮遊物質量に応じて、粉末活性炭、Ｙ型又はＸ型ゼオライトを添加し、さらにゼオライト凝集剤を混合し、上記ゼオライト凝集剤が、Ｎａ−Ｐ１型ゼオライトを塩化カルシウム飽和液で処理したＣａ型ゼオライト、硫酸バンド及び水酸化カルシウム及びポリアクリルアミドアニオン系高分子凝集剤からなり、上記添加及び混合を１バッチで処理することを特徴とするダイオキシン類除去法、
第２に上記処理による汚水を固液分離した後、液分を高分子フィルターで濾過する上記第１発明記載のダイオキシン類除去法、
第３にフライアッシュをアルカリ処理し、さらに熱処理を施し、攪拌してなるＹ型又は
Ｘ型ゼオライトと、Ｎａ−Ｐ１型ゼオライトを塩化カルシウム飽和液で処理したＣａ型ゼ
オライト、硫酸バンド及び水酸化カルシウム及びポリアクリルアミドアニオン系高分子凝
集剤からなるゼオライト凝集剤とよりなるダイオキシン類除去剤、
によって構成する。